(57)【特許請求の範囲】
【請求項１】
容器体口頸部へ嵌合させる装着筒２内から垂直筒２ａを起立すると共に、該垂直筒上端から射出筒３を、かつ中間部からシリンダ４を、それぞれ前方突出し、又シリンダ内へ前方付勢させて嵌合させたプランジャ６前端部を、上記射出筒前部から揺動可能に垂設したトリガー５の上部後面へ係合させ、該トリガーの引寄せ操作で、容器体内液体を吸上げて射出筒前端へ嵌着させたノズル嵌合筒７の前部外面へ回動可能に嵌合させたノズルヘッド８のノズル孔１０から噴出可能に設けた液体噴出器において、
上記シリンダ４前部外面あるいは内面に嵌合筒２２を回動自在に嵌合させると共に、該筒の一部から係合棒２４を前方突出するロック部材２１を設け、
トリガー前限位置で、シリンダ４に対してロック部材２１を回動させて、上記係合棒２４前端を上記トリガー５後面に係合させることでトリガーの引寄せが不能に、かつ係合棒２４前端をトリガー後面から外すことで、トリガーの引寄せ操作が可能に形成したことを特徴とするトリガー式液体噴出器。
【発明の詳細な説明】
【０００１】
【発明の属する技術分野】
本発明はトリガー式の液体噴出器に関する。
【０００２】
【従来の技術】
図４が示す液体噴出器１が知られている。該噴出器は、容器体口頸部外面へ嵌合させる装着筒２の上部内から垂直筒２ａを起立すると共に、該垂直筒上端から射出筒３を前方突設し、又該射出筒前部に枢着させてトリガー５を垂下し、上記垂直筒から前方突設したシリンダ４内へプランジャ６を前方付勢させて嵌合させ、該プラジャ前端を上記トリガー上部後面へ係合させて、トリガー引寄せでシリンダ内液体を、射出筒３前端へノズル嵌合筒を介して嵌合させたノズルヘッド８のノズル孔１０から噴出させ、又トリガー解放によりプランジャ６が前進してトリガー５を復帰させ、このとき容器体内液体がシリンダ内へ吸込みされるよう設けてある。
【０００３】
尚、１３はノズルヘッド前面を開閉自在に閉塞する蓋板である。
上記トリガー式液体噴出器にあっては、悪戯でトリガーを引寄せても液体が噴出するから、射出筒前端に嵌合させたノズル嵌合筒とノズルヘッドとに液体吐出路の前半部と後半部とを設け、ノズル嵌合筒に対してノズルヘッドを回動させると、上記液体吐出路の連通が遮断され、ノズルヘッドを元の位置まで戻さなければ液体を噴出させることが不能に形成されている。
【０００４】
【発明が解決しようとする課題】
上記のように、ノズル嵌合筒に対してノズルヘッドを回動させて液体吐出器を開閉するよう設けた液体噴出器においても、液体吐出路閉塞状態のままで度々トリガーを引寄せすると、該トリガーが撓み又弾性復元することで、プランジャが多少後退し又前進することとなり、するとシリンダ内の異常な高圧化で吐出弁を通って、該吐出弁と上記ノズル嵌合筒等が形成する液体吐出路部分との間の射出筒前方部分内に高圧液体が溜ることがあり、このようになると、上記ノズルヘッドを液体吐出路連通位置まで回したとき、その射出筒前方部分内に溜っていた高圧液体が、トリガー操作を行わないに拘わらずノズル孔から噴出することが生じた。又、トリガーを強く引寄せすると、射出筒内の高圧化でノズルヘッドがノズル嵌合筒から外れるおそれもあった。
【０００５】
本発明は、上記ノズルヘッド回動による液体吐出路開閉機能の有無に拘らず、前限位置でトリガーを引寄せ不能に設けることで、既述欠点を解消するものである。
【０００６】
【課題を解決するための手段】
その手段として、容器体口頸部へ嵌合させる装着筒２内から垂直筒２ａを起立すると共に、該垂直筒上端から射出筒３を、かつ中間部からシリンダ４を、それぞれ前方突出し、又シリンダ内へ前方付勢させて嵌合させたプランジャ６前端部を、上記射出筒前部から揺動可能に垂設したトリガー５の上部後面へ係合させ、該トリガーの引寄せ操作で、容器体内液体を吸上げて射出筒前端へ嵌着させたノズル嵌合筒７の前部外面へ回動可能に嵌合させたノズルヘッド８のノズル孔１０から噴出可能に設けた液体噴出器において、
上記シリンダ４前部外面あるいは内面に嵌合筒２２を回動自在に嵌合させると共に、該筒の一部から係合棒２４を前方突出するロック部材２１を設け、
トリガー前限位置で、シリンダ４に対してロック部材２１を回動させて、上記係合棒２４前端を上記トリガー５後面に係合させることでトリガーの引寄せが不能に、かつ係合棒２４前端をトリガー後面から外すことで、トリガーの引寄せ操作が可能に形成した。
【０００７】
【発明の実施の形態】
１は一般に使用されているタイプのトリガー式液体噴出器で、図４を併せ用いて説明すると、該液体噴出器は、周知のように容器体の口頸部外面ヘ螺合する装着筒２の上部内から垂直筒２ａを起立し、かつ該垂直筒上端から射出筒３を、かつ垂直筒の中間部前面からシリンダ４を、それぞれ前方突出し、又射出筒前部に上端部をピン等を用いて枢着させてトリガー５を斜下前方へ垂設し、更に上記シリンダ４内へコイルバネ等を用いて前方付勢させて嵌合させたプランジャ６前端部をトリガー５の上部後面へ係合させ、該トリガー引寄せ操作によりシリンダ内液体を射出筒内を通って噴出させ、又トリガー復帰によるシリンダ内負圧化で容器体内液体をシリンダ内へ吸込み可能に設けている。
【０００８】
上記射出筒３の前部には、図４の場合と同様にノズル嵌合筒７を介してノズルヘッド８を嵌合させており、これ等には射出筒３とノズルヘッド８の前壁９中央に穿設したノズル孔１０を連通する液体吐出路１１が穿設させてある。該液体吐出路は、図示のようにノズル嵌合筒７の基板７ａ中央部から前方突出する弁棒７ｂ外面と、ノズルヘッド８の前壁９中央部から、上記弁棒７ｂ外面へ水密に嵌合させて後方突設した嵌合筒１２内面とに形成する。即ち、該嵌合筒の後部内面へ筒方向に穿設した第１吐出路１１ａ  と、上記弁棒７ｂの前部外面へ母線方向に穿設した第２吐出路１１ｂ  とで形成し、図４が示す連通状態から、ノズル嵌合筒７に対してノズルヘッド８を回動させると、第１吐出路１１ａ  が弁棒７ｂの別の位置へ移動して第２吐出路１１ｂ  との連通が遮断され、又ノズルヘッド８を元の位置まで戻すことで、再び図４のように連通するものである。
【０００９】
尚、上記ノズルヘッド回動による液体吐出路開閉機能がなく、上記ノズルヘッド８が嵌着固定され、液体吐出路１１が常に開通したノズル構造としてもよい。又、美観や取扱性を考慮して、図示例では垂直筒２ａ、シリンダ４、射出筒３が、これらと一体成形されたカバー１４により包囲されているが、勿論、このようなカバーはなくてもよい。
尚、以上述べた構成は従来公知のものである。
【００１０】
以下、本発明について説明すると、図１に示したように、シリンダ４の前部上面と射出筒３の中間部下面との間に隙間が形成され、該隙間内へ、ロック部材２１の嵌合筒２２一部を差込み、該筒内面に周設した突条２３をシリンダ４前部外面に周設した突条１６に強制的に乗越え係合させることで、シリンダ前部外面へ回動自在に、かつ前後方向への摺動は不能に嵌合されている。ロック部材２１は嵌合筒２２の前端面下部から係合棒２４を前方突出して形成してあり、その嵌合筒は、上半部が短筒、下半部が長筒に成形され、嵌合筒が反時計回りに回転したときに、下半筒後部上端の上向き段部２５が、シリンダ４外面の該段部との隣接位置より周方向に、例えば６０度といった所定の角度離隔した位置に設けられた突起等の回転制限部材に突き当てることで、嵌合筒の回転が制限されるように設けられている。
尚、上記突条１６、２３はそれぞれ複数周設してもよく、あるいは螺条等他の係合手段に置き換えてもよい。
【００１１】
又、上記回転制限部材を設けない場合や、後述の係合棒２４をカバー１４前端面に突き当てるなど、別の回動制限手段を用いる場合は、嵌合筒２２を上向き段部２５のない他の適当な形状の筒体とすることができる。
上記嵌合筒２２の下部前端面からは、係合棒２４を前方突出し、かつ該棒は嵌合筒肉厚よりも厚肉とすることで張出しさせ、嵌合筒の下部前端から上方へ張出しする棒後端上部をシリンダ４下部前端面に、該面に沿って回動自在、かつ後動不能に当接している。該係合棒２４後部下端からは、把手板２６を垂設することが望ましい。該把手板下端左右両面には、指掛け用の突条２７が付設されている。
【００１２】
一方、図２で一部を切欠いて示したように、上記トリガー５に対するプランジャ係合位置よりやゝ下側のトリガー後面５ａから、係合棒２４の回動曲率に合せた曲率で左右方向中央部を下向きに弯曲させた、前後方向には断面矩形の係合リブ５ｂが後方突設され、僅かにトリガー左右側板５ｃ後端から後方に突出して、トリガー後面よりやゝ後方に位置する係合棒２４前端面と係合させている。
【００１３】
図２に示したトリガー前限位置では、上記係合棒２４前端面を上記係合リブ５ｂ後端面に係合させることで、トリガーが引寄せ不能になり、又図３に示したように、上記係合棒２４を側方に押圧して係合リブ５ｂより係脱し、同時にトリガー側板５ｃより側外方に回動させることで、トリガーが引寄せ可能になる。勿論、係合棒２４の回転を上記カバー１４前端部で制限することも出来る。
【００１４】
尚、図示例では、上記嵌合筒２２をシリンダ４外面に回動自在かつ前後動不能に嵌合させているが、突条１６をシリンダ内面に、突条２３を嵌合筒外面に、それぞれ設けることで、嵌合筒外面をシリンダ内面に回動自在かつ前後動不能に嵌合させてもよい。
【００１５】
【発明の効果】
本発明は、既述構成を有するものであり、請求項１記載のトリガー式液体噴出器は請求項１記載のとおり、ノズルヘッド回動による液体吐出路開閉機能の有無に拘らず、既述従来例の場合のように、トリガー前限位置で誤ってトリガーを引寄せすることで、トリガー下部が撓み又弾性復元しても、トリガー上部が係合棒２４と係合して後動不能の状態となっているため、プランジャが誤って後退する恐れが全く無く、従って既述した高圧液体の噴出やノズルヘッドの外れといった事故を完全に防止することが出来る。
【図面の簡単な説明】
【図１】本発明のトリガー式液体噴出器の要部拡大断面図である。
【図２】トリガー５の係合リブ５ｂを切欠いて示した、トリガー引寄せ不能状態の図１噴出器の斜視図である。
【図３】トリガー引寄せ可能状態の図２噴出器の斜視図である。
【図４】従来例液体噴出器の断面図である。
【符号の説明】
４…シリンダ                ５…トリガー          ５ｂ…係合リブ
８…ノズルヘッド        ２１…ロック部材            ２２…嵌合筒
２４…係合棒              ２６…把手板
【図１】
0003583243.tif 000002
【図２】
0003583243.tif 000003
【図３】
0003583243.tif 000004
【図４】
0003583243.tif 000005